(57)【要約】【課題】１台のペダル装置でありながらペダルプレートを任意の位置に保持するか否かの機能を任意に選択できるペダル装置を提供する。【解決手段】通常状態において、プレート１２は、付勢部２６を有する付勢機構１４により付勢されている。このとき、演奏者により回動操作部が回動操作されると、付勢解除機構４１の当接部４３は付勢部２６を弾性部２４の付勢に抗して押圧する。すると、付勢部２６は突出部２１と離間され、付勢機構１４のプレート１２に付与する付勢が解除される。プレート１２は、付勢機構１４による付勢が解除されると、傾動において所定の摩擦力を加える機構が働き、操作可能に所定の位置に保持される。また、ペダル装置１１は、演奏者により再び回動操作部がもとの位置に回動操作されると通常状態になる。従って、１台のペダル装置でありながら、時、場合、好みによりペダルプレートを任意の位置に保持するか否かの機能を任意に選択できる。【選択図】        図７
2005037457.tif 000002
【特許請求の範囲】
【請求項１】
演奏者が操作するペダルプレートと、
該ペダルプレートを傾動可能に支持するベースと、
前記ペダルプレートを付勢する付勢機構と、
前記付勢機構における前記ペダルプレートに対する付勢を解除する付勢解除機構と、
前記ペダルプレートを操作可能に固定し、又は、その固定を解除する固定機構と
を備えたことを特徴とするペダル装置。
【請求項２】
前記付勢機構は、弾性手段と、前記ペダルプレートを押圧して前記弾性手段の付勢力により前記ペダルプレートを所定方向に付勢する付勢部とを備え、
前記付勢解除機構は、前記付勢部と当接する当接部を備えるとともに、該当接部が前記付勢部と当接することにより、前記弾性手段の付勢に抗して前記付勢機構の前記ペダルプレートに対する付勢を解除することを特徴とする請求項１に記載のペダル装置。
【請求項３】
前記付勢解除機構は、演奏者により回動操作される第１回動部を備え、前記当接部は、前記第１回動部が回動されることに基づいて、前記付勢部と当接することを特徴とする請求項２に記載のペダル装置。
【請求項４】
前記固定機構は、ペダルプレートと一体に傾動する被固定部と、該被固定部を固定する固定部とを備えて構成され、
前記固定部が前記被固定部を所定の摩擦力により固定することにより、前記ペダルプレートを操作可能に固定することを特徴とする請求項２又は請求項３に記載のペダル装置。
【請求項５】
前記被固定部は、前記ペダルプレートの傾動中心と同軸上に配置されるとともに円柱形状に形成され、
前記固定部は、前記被固定部の外周面に対向するように周設された、すり割り部を有した部材から構成され、該固定部は前記すり割り部を近接させる方向に付勢する押圧部に押圧されることで前記被固定部をその径方向に挟みつけて所定の摩擦力で固定することにより、前記ペダルプレートを操作可能に固定することを特徴とする請求項４に記載のペダル装置。
【請求項６】
前記固定機構は、演奏者により回動操作される第２回動部を備え、該第２回動部の回動に基づいて前記押圧部が押圧することを特徴とする請求項５に記載のペダル装置。
【請求項７】
前記押圧部は、前記第２回動部の軸心と偏心して設けられた偏心カムから構成されたことを特徴とする請求項６に記載のペダル装置。
【請求項８】
前記第１回動部を備え、該第１回動部と第２回動部とは、一体に形成され、該第１回動部と第２回動部とが一体に回動することに基づいて、
前記付勢解除機構により前記ペダルプレートに対する付勢が解除されるとともに前記固定機構により前記ペダルプレートが操作可能に固定され、又は、前記付勢機構により前記ペダルプレートが付勢されるとともに前記固定機構により前記ペダルプレートに対する固定が解除されることを特徴とする請求項６又は請求項７に記載のペダル装置。
【請求項９】
前記ペダルプレートは、変位可能な被押圧部を備え、
前記付勢機構は、弾性手段と、前記被押圧部が所定位置にあるときに該被押圧部を押圧して前記弾性手段の付勢力により前記ペダルプレートを所定方向に付勢する付勢部とを備え、
前記付勢解除機構は、前記被押圧部を前記所定位置から前記付勢部が前記被押圧部を押圧しない解除位置に変位させることにより、前記付勢機構の前記ペダルプレートに対する付勢を解除する操作片を備えたことを特徴とする請求項１に記載のペダル装置。
【請求項１０】
前記ペダルプレートには、当該ペダルプレートと一体に傾動する被固定部が設けられ、
前記固定機構は、前記被押圧部が前記解除位置にあるときに、前記付勢部が前記被固定部に当接することで、摩擦力により前記ペダルプレートを操作可能に固定するとともに、
前記被押圧部が前記所定位置にあるときに、前記付勢部が前記被固定部から離間することでその固定を解除することを特徴とする請求項９に記載のペダル装置。
【請求項１１】
前記ペダルプレートの傾動における摩擦抵抗を調節する摩擦調節機構を備えたことを特徴とする請求項１〜１０のうちいずれか一項に記載のペダル装置。
【請求項１２】
前記ペダルプレートの傾動における摩擦抵抗を調節する摩擦調節機構を備え、前記摩擦調節機構は、前記ベースに配置され、該摩擦調節機構は、前記固定部に向かって形成されたねじ孔を備え、該ねじ孔と、該ねじ孔に螺入されたねじとの螺合量を調節することにより前記ねじが前記固定部を押圧し、該固定部が前記被固定部を挟みつけることによって、前記摩擦抵抗を調節することを特徴とする請求項４〜８に記載のペダル装置。
【請求項１３】
前記付勢機構の前記ペダルプレートに付与する付勢力を調節する付勢調節機構を備えたことを特徴とする請求項１〜１２のうちいずれか一項に記載のペダル装置。
【請求項１４】
前記付勢機構の前記ペダルプレートに付与する付勢力を調節する付勢調節機構を備え、前記付勢調節機構は、前記弾性手段を収納するとともに外周面に雄ねじが形成されたケースを備え、
前記ベースには、前記ケースを収納するとともに内周面に前記雄ねじと螺合する雌ねじが形成された貫通孔が形成され、
前記付勢調節機構は、前記雄ねじと雌ねじとの螺合量を調節することによって、前記ケースを前記貫通孔に対して変位させ、前記弾性手段の前記ペダルプレートに付与する付勢力を調節することを特徴とする請求項４〜８のいずれか一項に記載のペダル装置。
【発明の詳細な説明】
【０００１】
【発明の属する技術分野】
本発明は、ペダル装置に係り、詳しくは１台のペダル装置でありながらペダルプレートを任意の位置に保持できるか否かの機能を任意に選択できるペダル装置に関するものである。
【０００２】
【従来の技術】
電気ギターなどのアンプを用いる楽器では、演奏中でも演奏者が音量調節や音質調節ができるように足で操作できるペダル装置が用いられている。このようなペダル装置では、ペダルプレートを傾動させて、その角度に応じて音量や音質を調節している。
【０００３】
このペダル装置には、例えば、ペダルプレートの角度で音量が変化するものがあるが、演奏中に絶え間なく音量などを変化させるために、踏み込み方向と反対にペダルプレートが戻るようにスプリングなどで付勢している構成のものがあった。このようにスプリングなどで付勢しているものは、足を離せばスプリングによりペダルプレートが初期位置に復帰するため、踏み込みだけでペダルプレートを戻す操作は不要であった（例えば、特許文献１参照。）。
【０００４】
一方、ペダルプレートを傾動させて音量などを適当な位置に合わせたら、摩擦力などでそのままの角度で保持される構成のものがあった。このようなペダル装置であれば、一旦調節すれば、足を離して演奏することができた（例えば、特許文献２参照。）。
【０００５】
従来は、時と場合と好みによって、このようなペダル装置を使い分けていた。
【０００６】
【特許文献１】
特開平８−２０２３６３号公報（段落番号「０００６」〜「００１４」、第１図）
【特許文献２】
実開平６−０２５８９７号公報（段落番号「００１２」〜「００２８」、第１図）
【０００７】
【発明が解決しようとする課題】
しかしながら、これらのペダル装置では構成が異なるため、時と場合、好みによって複数のペダル装置を用いなければならず、機材の準備が煩雑になるという問題があった。
【０００８】
また、１台のペダル装置で兼用しようとしても、位置が変化しないように足で保持したり、或いはペダルの踏み込み後に足で戻しの操作をいちいち行わなければならないという問題があった。
【０００９】
本発明は、上記問題を解決するためになされたものであり、その目的は、１台のペダル装置でありながら時と場合と好みによってペダルプレートを任意の位置に保持するか否かの機能を任意に選択できるペダル装置を提供することにある。
【００１０】
【課題を解決するための手段】
上記問題点を解決するために、請求項１に記載の発明は、請求項１に記載のペダル装置において、演奏者が操作するペダルプレートと、該ペダルプレートを傾動可能に支持するベースと、前記ペダルプレートを付勢する付勢機構と、前記付勢機構における前記ペダルプレートに対する付勢を解除する付勢解除機構と、前記ペダルプレートを操作可能に固定し、又は、その固定を解除する固定機構とを備えたことを要旨とする。
【００１１】
請求項２に記載の発明は、請求項１に記載のペダル装置において、前記付勢機構は、弾性手段と、前記ペダルプレートを押圧して前記弾性手段の付勢力により前記ペダルプレートを所定方向に付勢する付勢部とを備え、前記付勢解除機構は、前記付勢部と当接する当接部を備えるとともに、該当接部が前記付勢部と当接することにより、前記弾性手段の付勢に抗して前記付勢機構の前記ペダルプレートに対する付勢を解除することを要旨とする。
【００１２】
請求項３に記載の発明は、請求項２に記載のペダル装置において、前記付勢解除機構は、演奏者により回動操作される第１回動部を備え、前記当接部は、前記第１回動部が回動されることに基づいて、前記付勢部と当接することを要旨とする。
【００１３】
請求項４に記載の発明は、請求項２又は請求項３に記載のペダル装置において、前記固定機構は、ペダルプレートと一体に傾動する被固定部と、該被固定部を固定する固定部とを備えて構成され、前記固定部が前記被固定部を所定の摩擦力により固定することにより、前記ペダルプレートを操作可能に固定することを要旨とする。
【００１４】
請求項５に記載の発明は、請求項４に記載のペダル装置において、前記被固定部は、前記ペダルプレートの傾動中心と同軸上に配置されるとともに円柱形状に形成され、前記固定部は、前記被固定部の外周面に対向するように周設された、すり割り部を有した部材から構成され、該固定部は前記すり割り部を近接させる方向に付勢する押圧部に押圧されることで前記被固定部をその径方向に挟みつけて所定の摩擦力で固定することにより、前記ペダルプレートを操作可能に固定することを要旨とする。
【００１５】
請求項６に記載の発明は、請求項５に記載のペダル装置において、前記固定機構は、演奏者により回動操作される第２回動部を備え、該第２回動部の回動に基づいて前記押圧部が押圧することを要旨とする。
【００１６】
請求項７に記載の発明は、請求項６に記載のペダル装置において、前記押圧部は、前記第２回動部の軸心と偏心して設けられた偏心カムから構成されたことを要旨とする。
【００１７】
請求項８に記載の発明は、請求項６又は請求項７に記載のペダル装置において、前記第１回動部を備え、該第１回動部と第２回動部とは、一体に形成され、該第１回動部と第２回動部とが一体に回動することに基づいて、前記付勢解除機構により前記ペダルプレートに対する付勢が解除されるとともに前記固定機構により前記ペダルプレートが操作可能に固定され、又は、前記付勢機構により前記ペダルプレートが付勢されるとともに前記固定機構により前記ペダルプレートに対する固定が解除されることを要旨とする。
【００１８】
請求項９に記載の発明は、請求項１に記載のペダル装置において、前記ペダルプレートは、変位可能な被押圧部を備え、前記付勢機構は、弾性手段と、前記被押圧部が所定位置にあるときに該被押圧部を押圧して前記弾性手段の付勢力により前記ペダルプレートを所定方向に付勢する付勢部とを備え、前記付勢解除機構は、前記被押圧部を前記所定位置から前記付勢部が前記被押圧部を押圧しない解除位置に変位させることにより、前記付勢機構の前記ペダルプレートに対する付勢を解除する操作片を備えたことを要旨とする。
【００１９】
請求項１０に記載の発明は、請求項９に記載のペダル装置において、前記ペダルプレートには、当該ペダルプレートと一体に傾動する被固定部が設けられ、前記固定機構は、前記被押圧部が前記解除位置にあるときに、前記付勢部が前記被固定部に当接することで、摩擦力により前記ペダルプレートを操作可能に固定するとともに、前記被押圧部が前記所定位置にあるときに、前記付勢部が前記被固定部から離間することでその固定を解除することを要旨とする。
【００２０】
請求項１１に記載の発明は、請求項１〜１０のうちいずれか一項に記載のペダル装置において、前記ペダルプレートの傾動における摩擦抵抗を調節する摩擦調節機構を備えたことを要旨とする。
【００２１】
請求項１２に記載の発明は、請求項４〜８に記載のペダル装置において、前記ペダルプレートの傾動における摩擦抵抗を調節する摩擦調節機構を備え、前記摩擦調節機構は、前記ベースに配置され、該摩擦調節機構は、前記固定部に向かって形成されたねじ孔を備え、該ねじ孔と、該ねじ孔に螺入されたねじとの螺合量を調節することにより前記ねじが前記固定部を押圧し、該固定部が前記被固定部を挟みつけることによって、前記摩擦抵抗を調節することを要旨とする。
【００２２】
請求項１３に記載の発明は、請求項１〜１２のうちいずれか一項に記載のペダル装置において、前記付勢機構の前記ペダルプレートに付与する付勢力を調節する付勢調節機構を備えたことを要旨とする。
【００２３】
請求項１４に記載の発明は、請求項４〜８のいずれか一項に記載のペダル装置において、前記付勢機構の前記ペダルプレートに付与する付勢力を調節する付勢調節機構を備え、前記付勢調節機構は、前記弾性手段を収納するとともに外周面に雄ねじが形成されたケースを備え、前記ベースには、前記ケースを収納するとともに内周面に前記雄ねじと螺合する雌ねじが形成された貫通孔が形成され、前記付勢調節機構は、前記雄ねじと雌ねじとの螺合量を調節することによって、前記ケースを前記貫通孔に対して変位させ、前記弾性手段の前記ペダルプレートに付与する付勢力を調節することを要旨とする。
【００２４】
【発明の実施の形態】
（第１実施形態）
以下、本発明を電気ギターに接続され、電気ギターの音量を変化させるペダル装置１１に具体化した一実施形態を図１〜図１０に従って説明する。
【００２５】
図１に示すように、ペダル装置１１は、演奏者が足で操作するペダルプレート（以下、プレート１２という。）と、そのプレート１２を傾動可能に支持するベース１３とから構成され、プレート１２は、ベース１３に備えられた付勢機構１４（図４参照）によって付勢されている。
【００２６】
プレート１２は、操作板２０、ペダルリブ１５、支持軸１６及び突出部２１（図４参照）を備えている。演奏者の足により操作される操作板２０は、概ね長方形の板状に形成される。以下、操作板２０のかかと側（後方）を基端と、つま先側（前方）を先端という。操作板２０の基端部２０ｂは、演奏者により操作されない状態（以下、無操作状態という。）では、付勢機構１４の付勢により、操作板２０の先端部２０ｃよりもベース１３側（以下、下方向という。）に位置している。
【００２７】
また、図１に示すように、操作板２０の下面２０ａには、ゴムからなる緩衝部１７ａが基端側に位置して設けられている。従って、プレート１２は、無操作状態では、付勢機構１４による付勢により基端部２０ｂが下方移動するため、緩衝部１７ａを介してベース１３と接触され支持される。一方、ベース１３の上部ブロック１３ｂには、ゴムからなる緩衝部１７ｂが先端側に位置して設けられている。従って、プレート１２は、演奏者によりつま先側が踏み込まれ、先端部２０ｃが下方移動すると、緩衝部１７ｂを介してベース１３と当接し、傾動が規制される構成となっている。また、緩衝部１７ａ及び緩衝部１７ｂは、プレート１２とベース１３とが当接する際に生ずる衝撃を緩衝する。
【００２８】
ペダルリブ１５は、操作板２０の下面２０ａの長さ方向に略中央の両端から、ベース１３の上部ブロック１３ｂを両面から挟むようにして、下方に突設されている。各ペダルリブ１５の下端の略中央には、幅方向に沿って水平に貫通されたねじ孔が形成されている。各ねじ孔には、支持軸１６がねじ止めされている。
【００２９】
支持軸１６は、円柱形の頭部と軸部とを備えた公知のボルトからなり、軸部の基部にのみ、ねじ溝が刻設されている。各支持軸１６は、ねじ溝のない軸部の先端がペダルリブ１５からベース１３側に突出するように、ペダルリブ１５のねじ孔に螺入されている。また、各支持軸１６は、所定のドライバにより回動され、ペダルリブ１５から取り外し可能な構成となっている。また、各支持軸１６は、所定のドライバのみならずコイン等によっても回動できる。
【００３０】
ベース１３の上部ブロック１３ｂには、各支持軸１６と対応した軸受が形成されている。そして、ペダルリブ１５に螺合された各支持軸１６の先端は、軸受に挿入され、回動可能に支持される構成となっている。すなわち、プレート１２は、図１の実線又は２点鎖線で示すように、緩衝部１７ａがベース１３の上部ブロック１３ｂと当接する位置から、緩衝部１７ｂがベース１３の上部ブロック１３ｂと当接する位置の範囲で傾動される構成となっている。
【００３１】
突出部２１は、図４に示すように、操作板２０の下面２０ａから、下面２０ａと略垂直にベース１３側に板状をなして突設されている。ベース１３には、突出部２１と干渉しないように、突出部２１を収容する収容室２２が形成されている。また、収容室２２の上方に位置するベース１３の上部ブロック１３ｂは、突出部２１と干渉しない水平な平面部として形成されている。また、収容室２２の底面は、ベース１３の下面に配置された底板２８により形成されている。そして、収容室２２は、図４，５に示すように、プレート１２の傾動に応じて突出部２１がベース１３内を自在に傾動し得るように、長手方向に十分な大きさをもって形成されている。突出部２１の端部側下方に設けられた被付勢部２１ａは、付勢機構１４によって先端方向に付勢される構成となっている。そして、突出部２１は、その付勢機構１４による付勢力若しくはプレート１２への足による付勢力によって収容室２２内を傾動される。
【００３２】
付勢機構１４は、図４，５に示すように、突出部２１の基端側に位置して設けられている。付勢機構１４は、全体としてベース１３の基端下部に形成された貫通孔１８を貫通するようにして形成され、ケース２３、弾性手段としての弾性部２４、連結部２５及び付勢部２６からなっている。
【００３３】
円形内周面をなす貫通孔１８は、ベース１３の基端面１３ｃから、先端方向に向かって水平に形成され、収容室２２と連通されている。また、貫通孔１８は、その基端側に位置する大径孔１８ａと、その先端側に位置する小径孔１８ｂとからなっている。大径孔１８ａの内周面には、その基端から所定範囲に雌ねじ１８ｃが形成されている。小径孔１８ｂは、大径孔１８ａよりも小径に形成されている。そして、大径孔１８ａは、小径孔１８ｂを介して、収容室２２と連通している。
【００３４】
先端が開口され、基端が有底に形成された有底円筒状のケース２３は、所定のドライバ等で回動され得るように、外側底面に凹状部２３ｂが形成されるとともに、外周側面には雄ねじ２３ａが形成されている。そして、ケース２３の雄ねじ２３ａが、雌ねじ１８ｃに螺入されることにより、ベース１３に回動可能に貫挿されている。
【００３５】
連結部２５は、小径孔１８ｂに摺動可能に貫挿され、大径孔１８ａ及び収容室２２に亘って配置されている。連結部２５の基端には、径方向に突出して形成されたフランジ部２５ａが形成されている。フランジ部２５ａは、小径孔１８ｂよりも大径に形成され、大径孔１８ａ及び小径孔１８ｂの段差面１８ｄと係止される構成となっている。また、連結部２５の基端には、コイルスプリングからなる弾性部２４が基端方向に配設されている。また、弾性部２４の基端側はケース２３に収納されるとともに、ケース２３の基端の有底部に当接している。
【００３６】
付勢部２６は、連結部２５の先端に配設されている。付勢部２６は、ローラ２６ａと、これを回転可能に支持する支持部２６ｂとから構成されている。支持部２６ｂは、連結部２５の先端に固着され、小径孔１８ｂと収容室２２との段差面１８ｅに当接することで連結部２５が後方に抜けない構成とされている。
【００３７】
ローラ２６ａは、突出部２１の被付勢部２１ａと当接する構成となっている。その結果、弾性部２４の付勢力は、連結部２５、付勢部２６を介し、突出部２１の被付勢部２１ａに対して先端方向に付与される。従って、付勢機構１４は、演奏者のペダル装置１１の操作に際して、プレート１２が踏み込み方向と反対に戻るように、プレート１２を付勢する構成となっている。
【００３８】
また、ケース２３は、所定のドライバ等により回動されると、雌ねじ１８ｃと雄ねじ２３ａとの螺合量が変化し、ベース１３に対して、先端方向又は基端方向に変位する。そして、ケース２３が、ベース１３に対して先端方向に変位すると、弾性部２４の弾性力は増加され、付勢機構１４のプレート１２に付与する付勢力が増加する。一方、ケース２３が基端方向に変位すると、弾性部２４の弾性力は減少され、付勢機構１４のプレート１２に付与する付勢力は減少する。すなわち、本実施形態では、貫通孔１８及びケース２３から、付勢機構１４のプレート１２に付与する付勢力を調節する付勢調節機構２７が構成されている。そして、付勢調節機構２７は、雌ねじ１８ｃと雄ねじ２３ａとの螺合量を調節することに基づいて、付勢機構１４のプレート１２に付与する付勢力を調節し得る構成となっている。換言すれば、付勢調節機構２７は、所定のドライバ等によりケース２３が回動されるのに基づいて、付勢機構１４のプレート１２に付与する付勢力を調節し得る構成となっている。
【００３９】
また、図４，５に示すように、収容室２２における突出部２１の先端方向側には、付勢解除機構４１が形成されている。すなわち、付勢解除機構４１、突出部２１、付勢機構１４及び付勢調節機構２７は、ベース１３の長手方向に直列に配置されている。
【００４０】
付勢解除機構４１は、第１回動部４２及び当接部４３から構成されている。軸状の第１回動部４２は、ベース１３に対して幅方向に配置されている。そして、第１回動部４２の両端は、ベース１３側端にそれぞれ形成された軸受に回動可能に貫挿され、両先端部がベース１３から外部に突出している。
【００４１】
図１〜３に示すように、ベース１３の外部に突出された第１回動部４２の一端は、演奏者が操作可能に形成された回動操作部４４と固着されている。回動操作部４４は、第１回動部４２との固着部４４ａから、ベース１３の側面１３ａと平行に、かつ、一方向に延びるように形成されている。従って、第１回動部４２は、演奏者の回動操作部４４の回動操作によって、回動される構成となっている。
【００４２】
また、回動操作部４４の下方には、回動操作部４４と当接するように、ベース１３が幅方向に延出して形成されている。従って、回動操作部４４は、延出されたベース１３と当接することにより、回動操作部４４の先端部４４ｂが先端方向を向いている状態から、その上方を通って、基端方向を向く状態までのおよそ１８０度の範囲で回動するようになっている。
【００４３】
ここで、図１に示すように、回動操作部４４の先端部４４ｂが基端方向を向いている状態を通常状態とし、図２に示すように、回動操作部４４の先端部４４ｂが先端方向を向いている状態を固定状態として、以下説明する。
【００４４】
図４，５，７，８に示すように、第１回動部４２の外周面には当接部４３が形成されている。当接部４３は、通常状態において、第１回動部４２から先端方向に延びて形成された２枚の板状の当接体４３ａを備えている。各当接体４３ａは、第１回動部４２の回動とともに回動する。また、当接体４３ａは、突出部２１を挟んで相互に平行に対面するように離間して配置されるため、先端方向から基端方向に回動する際にこの突出部２１と干渉することがない。
【００４５】
各当接体４３ａは、先端側から基端方向に回動されると、先ずローラ２６ａと当接する。さらに回動されると、各当接体４３ａはローラ２６ａを基端方向に押圧し、ローラ２６ａは突出部２１と離間する。そして、図７に示す固定状態では、当接部４３は、付勢機構１４の付勢に抗してローラ２６ａと当接し、付勢部２６を所定の位置に保持する構成とされる。
【００４６】
すなわち、付勢解除機構４１は、演奏者による回動操作部４４の回動操作に基づいて、当接部４３が付勢部２６を押圧し、その付勢部２６が突出部２１と離間されることによって、付勢機構１４のプレート１２に付与する付勢を解除する構成とされている。従って、付勢解除機構４１は、第１回動部４２の回動に基づいて、付勢機構１４のプレート１２に対する付勢を、付勢部２６の付勢に抗して解除する構成となっている。また、付勢解除機構４１は、当接部４３により付勢部２６が所定の位置に保持されることによって、演奏者が何ら操作しなくても、付勢機構１４のプレート１２に付与する付勢の解除を維持する構成となっている。また、プレート１２は、付勢機構１４による付勢が解除されると、ベース１３に対する傾動において、所定の摩擦力により、操作可能に所定の位置に保持される構成となっている。また、回動操作部４４が固定状態から通常状態に回動されると、当接体４３ａは付勢部２６と離間するため、再び付勢部２６は突出部２１を付勢する。
【００４７】
収容室２２には、図６，９に示すように、付勢解除機構４１、突出部２１、付勢機構１４及び付勢調節機構２７が長手方向に形成されている列と、幅方向に異なって、固定機構３１及び摩擦調節機構３６が長手方向に直列に形成されている。
【００４８】
図６，９，１０に示すように、固定機構３１は、被固定部３２、その被固定部３２を挟みつける固定部３３、第２回動部３４及び押圧部３５から構成されている。被固定部３２は、操作板２０の下面２０ａから収容室２２にまで延出された板状の延出連結部３９の先端部に設けられる。この被固定部３２は、その軸線が支持軸１６と同軸上にあり、支持軸１６よりも大径の円柱形状をなして形成されている。従って、被固定部３２は、プレート１２の傾動と一体となって支持軸１６の軸線を中心に回動する構成となっている。それとともに、固定部３３による被固定部３２における挟みつけは、小径な支持軸１６における挟みつけよりも挟みつけが容易となっている。
【００４９】
固定部３３は、断面Ｕ字形状をなし、その上部の湾曲した部分が被固定部３２の外周面を覆うように設けられている。また、この固定部３３の下部は、すり割り部３３ｂを挟んで相互に間隙を介して対向配置された一対の挟持部３３ａが下方に延設されている。そして、固定部３３の上部が被固定部３２に掛止され、かつ、被固定部３２の下部の挟持部３３ａがぶら下がるようにして支持される構成となっている。
【００５０】
固定部３３は、挟持部３３ａが先端方向及び基端方向側から押圧され、すり割り部３３ｂが近接されることにより、被固定部３２を挟みつける構成となっている。そして、被固定部３２は、その外周面を固定部３３に挟みつけられることにより、固定部３３に対して、所定の摩擦力で回動可能に固定される構成となっている。すなわち、プレート１２は、被固定部３２と固定部３３との所定の摩擦力によって、ベース１３に対して所定の位置に操作可能に固定される。
【００５１】
軸状の第２回動部３４は、固定部３３の先端方向側の位置に、軸線を幅方向に向けて配設されている。本実施形態では、第２回動部３４は、第１回動部４２と一体形成されており、その第１回動部４２を介して回動操作部４４と連結される。従って、演奏者は、回動操作部４４を回動することにより、第１回動部４２の回動とともに第２回動部３４の回動操作を行い得る。
【００５２】
押圧部３５は、第２回動部３４の外周面を覆うようにして設けられ、同軸心と偏心された略円柱形状の偏心カムから形成されている。従って、押圧部３５は、第２回動部３４とともに回動する構成となっている。ここで、第２回動部３４の軸線から、押圧部３５の外周面までの距離が最も大きい外周面上の箇所を最大箇所３５ａ（図１０参照。）とし、距離が最も小さい箇所を最小箇所３５ｂ（図１０参照。）として、以下説明する。
【００５３】
押圧部３５は、通常状態においては、図６，１０に示すように、固定部３３と最小箇所３５ｂにて近接するに留まり、固定部３３と接触しない構成とされている。そのため、被固定部３２と固定部３３との摩擦力は、通常状態で最小になる。ここで、通常状態における被固定部３２と固定部３３との摩擦力は、付勢機構１４の付勢力により、プレート１２が緩衝部１７ａを介してベース１３と接触され支持される無操作状態に変位するのを妨げない摩擦力となっている。
【００５４】
また、偏心カムたる押圧部３５は、演奏者により回動操作部４４が固定状態になる方向に回動操作されるにつれ、まず固定部３３と当接されて次第に固定部３３を強く押圧することにより、被固定部３２と固定部３３とに摩擦力を付与する構成となっている。そして、図９に示すように、被固定部３２と固定部３３との摩擦力は、押圧部３５が最大箇所３５ａにて固定部３３と当接する固定状態において最大になる。ここで、固定状態における被固定部３２と固定部３３との摩擦力は、無操作状態においてプレート１２を所定の位置に固定する大きさであるが、演奏者の踏み込み操作によるプレート１２の変位を妨げない大きさとなっている。すなわち、固定機構３１は、第２回動部３４の回動に基づいて、被固定部３２と固定部３３とに所定の摩擦力を付与することにより、プレート１２をベース１３に対して操作可能に固定し、又は、その固定を解除する構成となっている。
【００５５】
固定機構３１の基端方向側の近傍には、プレート１２の傾動における摩擦抵抗を調節する摩擦調節機構３６が形成されている。摩擦調節機構３６は、ねじ孔３７と、ここに螺入されたねじ３８を備えて構成されている。ねじ孔３７は、基端方向側から固定部３３に向かって略水平に形成されている。ねじ３８の基端面には、所定のドライバ等により回動され得るように、凹状部が形成されている。そして、ねじ３８は、回動されることによりねじ孔３７との螺合量が調節され、ベース１３に対して先端方向又は基端方向に移動する。
【００５６】
摩擦調節機構３６は、ねじ３８が先端方向に移動するにつれ、まず固定部３３と接触し、さらに固定部３３を押圧するように配置されている。すなわち、摩擦調節機構３６は、所定のドライバ等により、ねじ３８とねじ孔３７との螺合量を調節することに基づいて、固定部３３の被固定部３２に対する挟みつける力を調節し得るように構成されている。従って、摩擦調節機構３６は、固定状態のみにおいて、若しくは通常状態及び固定状態のいずれにおいて、固定部３３と被固定部３２との摩擦力を調節し得る構成となっている。そして、このようなペダル装置１１は、例えば、電気ギター、エフェクタ、アンプ等と共に以下のように使用される。
【００５７】
ペダル装置１１は、公知の角度センサを備える。角度センサは、例えばエンコーダ等から構成されたディジタル回路で、ペダル装置１１の傾動角度を検出可能となっている。なお、この角度センサは、エンコーダに限られるものでなく、ペダル装置１１の傾動角度が検出可能であれば、例えば傾動角度に対応して抵抗値が変化するアナログの可変抵抗を含むセンサのような他のものであってもよい。
【００５８】
同角度センサは、一定の電気・電子回路に接続してその回路から出力される信号を変化させるために使用されるが、回路は、いわゆるエフェクタに限らずペダル装置１１により音量を変化させる単純な電気回路や、シンセサイザーの音源なども含まれる。本発明では広く音を構成するひとつ又は複数のパラメータを変化させるものである。また、これらの電気・電子回路はペダル装置１１と一体に構成された一体型のものや、電気・電子回路を外部に備えているセパレートタイプものでもよい。ペダル装置１１は、電気・電子回路と一体型の場合はアンプと楽器の間に接続されるか、アンプのみに接続されて使用される。ペダル装置１１が電気・電子回路とセパレートタイプのものは電気・電子回路に接続されて、その電気・電子回路がアンプと楽器の間に接続されるか、アンプのみに接続されて使用される。なお、第１実施形態及び本実施形態では、音量の調節のみを例に説明しているが、通常状態でワウペダルのような音質を調整し、固定状態で音量を調節するような使用もできる。
【００５９】
次にペダル装置１１の作用について説明する。例えば、演奏者は、電気ギターの音量を絶え間なく調節してギター演奏を行いたい場合がある。このとき、演奏者がいちいち踏み込んだペダルを戻す操作をしなくても速やかにペダルがもどるように、プレート１２が付勢機構１４により付勢された状態でペダル装置１１の操作を行う。つまり、回動操作部４４を、図１に示すように、通常状態にしておく。
【００６０】
通常状態では、ペダル装置１１は付勢機構１４により付勢されている。そのため、無操作状態では、図４に示すように、プレート１２の基端部２０ｂの下面が緩衝部１７ａを介してベース１３と接触され、支持される状態となっている。この状態から、演奏者が、付勢機構１４の付勢に抗して先端部２０ｃを踏み込むと、プレート１２の傾動の角度に応じて、電気ギターの音量が変化する。すなわち、演奏者は、プレート１２の先端部２０ｃを踏み込み操作することにより、電気ギターの音量を好みの音量に調節して演奏する。そして、電気ギターの音量は、演奏者が先端部２０ｃを踏み込み、図５に示すように、プレート１２の先端部２０ｃの下面が緩衝部１７ｂと接触し支持されるまで大音量になるように変化する。
【００６１】
そして、演奏中に、音量を戻したい場合には、演奏者は先端部２０ｃの踏み込み操作を中断する。すると、演奏者が基端部２０ｂを踏み込んでプレートを戻さなくても、プレート１２は、付勢機構１４による付勢により、踏み込み方向と反対に傾動する。すると、電気ギターの音量は、プレート１２の傾動する角度に応じて小さな音量に絞られていく。また、所定時間、所定の音量にてギター演奏を行いたい場合には、演奏者は、付勢機構１４の付勢に抗して足によってプレート１２を所定の位置に保持する操作をしつつ演奏を行う必要がある。
【００６２】
次に、演奏者が、電気ギターの音量を一定の大きさに調節してギター演奏を行う場合のように、ギター演奏中、演奏者が操作することなくプレート１２が所定の位置に操作可能に固定された方が演奏を行いやすいときがある。このときは、まず演奏者は、図２に示すように、回動操作部４４を通常状態から固定状態に回動させる。すると、回動操作部４４の回動に基づいて、第１回動部４２及び第２回動部３４が回動する。
【００６３】
各当接体４３ａは、第１回動部４２の回動に基づいて回動する。すなわち、回動操作部４４は通常状態から固定状態になるように回動するため、各当接体４３ａは先端方向から下方を通って基端方向を向くように回動する。そのため、各当接体４３ａは、突出部２１の両側を挟むように回動し、ついには、付勢機構１４のローラ２６ａと接触する。この時、ローラ２６ａは、突出部２１を介してプレート１２を付勢している。
【００６４】
当接体４３ａが、ローラ２６ａの付勢に抗して、さらに基端方向を向くように回動すると、ローラ２６ａは当接体４３ａに押圧されて基端方向に移動する。その結果、ローラ２６ａは突出部２１と離間し、付勢機構１４によるプレート１２の付勢が解除される。そして、当接体４３ａが基端方向を向くまで回動すると、図７に示すように、当接体４３ａはローラ２６ａの付勢に抗してその状態を維持する。この時、回動操作部４４は固定状態となり、これ以上回動しない。従って、固定状態では、付勢機構１４によるプレート１２の付勢が解除され、そのプレート１２は、踏み込み操作を中断したときでも踏み込み方向と反対に傾動してしまうことはなくなる。
【００６５】
押圧部３５は、第２回動部３４の回動に基づいて回動する。偏心カムたる押圧部３５は、回動操作部４４が通常状態では、図１０に示すように、固定部３３と最小箇所３５ｂにて近接して配置されている。そして、この状態から、演奏者により回動操作部４４が固定状態になるように回動操作されるにつれ、押圧部３５は固定部３３と当接し、固定部３３を次第に強く押圧するように回動する。すなわち、固定部３３は、押圧部３５の回動に基づいて、すり割り部３３ｂが近接するように被固定部３２を挟みつけ、被固定部３２と固定部３３との摩擦力を変化させる。押圧部３５は、図９に示すように、固定部３３と最大箇所にて接触する固定状態になるまで回動する。そして、その固定状態になったとき、被固定部３２と固定部３３との摩擦力は最大となり、回動操作部４４はこれ以上回動しない。
【００６６】
演奏者は、固定状態では、被固定部３２と固定部３３との摩擦力に抗してプレート１２を踏み込み操作することにより、電気ギターの音量を変化させて演奏する。そして、演奏者は、電気ギターが適した音量となると、プレート１２の踏み込み操作を中断する。すると、プレート１２はその位置で保持され、演奏者はプレート１２の操作をすることなく演奏を続行する。
【００６７】
また、この固定状態から、演奏者が再び電気ギターの音量を絶え間なく調節してギター演奏を行いたい場合には、演奏者は、回動操作部４４を固定状態から通常状態に回動操作する。すなわち、演奏者は、回動操作部４４を回動操作することにより、第１回動部４２及び第２回動部３４を回動操作する。
【００６８】
すると、当接体４３ａは、第１回動部４２の回動に基づいて、基端方向を向く状態から先端方向を向く状態にまで回動される。当接体４３ａは、回動されるとローラ２６ａと離間する。すると、ローラ２６ａは突出部２１を付勢する。すなわち、プレート１２は、付勢機構１４により付勢され、ベース１３に対して所定の位置に保持されなくなる。さらに、当接体４３ａは、突出部２１の両側を挟むようにして回動し、図４に示すように、先端方向を向くと、回動操作部４４は通常状態となる。
【００６９】
また、押圧部３５は、第２回動部３４の回動に基づいて回動する。偏心カムたる押圧部３５は、回動操作部４４が図９に示す固定状態では、固定部３３と最大箇所３５ａ（図１０参照。）にて接触している。そして、回動操作部４４が回動操作されるにつれ、押圧部３５は固定部３３を次第に弱く押圧するように回動する。そして、押圧部３５は固定部３３と最小箇所にて近接する通常状態になるまで回動する。そして、その通常状態になったとき、被固定部３２と固定部３３との摩擦力は最小となり、回動操作部４４はこれ以上回動しない。
【００７０】
演奏者は、プレート１２の操作にあたって、付勢機構１４のプレート１２に付与する付勢力を調整したい場合には、付勢調節機構２７の雌ねじ１８ｃと雄ねじ２３ａとの螺合量を調節する。すなわち、演奏者は、所定のドライバにより、ケース２３をベース１３に対して回動させる。螺合量の調節の結果、ケース２３がベース１３の内部に移動すると、付勢機構１４のプレート１２に付与する付勢力は大きくなる。一方、ケース２３がベース１３の外部に移動すると、付勢機構１４のプレート１２に付与する付勢力は小さくなる。
【００７１】
演奏者は、プレート１２の操作にあたって、固定部３３と被固定部３２との摩擦力を調節したい場合には、摩擦調節機構３６のねじ３８とねじ孔３７との螺合量を調節する。すなわち、演奏者は、所定のドライバにより、ねじ３８をねじ孔３７に対して回動させる。その結果、ねじ３８が、先端方向に移動して、ねじ３８が固定部３３を押圧すると、被固定部３２と固定部３３との摩擦力は大きくなる。一方、ねじ３８が、基端方向に移動すると被固定部３２と固定部３３との摩擦力は小さくなる。
【００７２】
従って、上記実施形態によれば、以下のような効果を得ることができる。
（１）上記実施形態では、演奏者は、回動操作部４４を回動操作することによって、目的によりプレート１２をベース１３に対して所定の位置に保持するか否かを任意に選択することができるという効果がある。
【００７３】
（２）また、摩擦調節機構３６を備えたため、各演奏者は、プレート１２の傾動における摩擦力を自分の好みにあった摩擦力に設定することができるという効果がある。
【００７４】
（３）さらに、付勢調節機構２７を備えたため、各演奏者は、付勢機構１４によるプレート１２の傾動のための付勢力を自分の好みにあった付勢力に設定することができるという効果がある。
【００７５】
（第２実施形態）
本発明の第２実施形態を図１１又は図１２に基づいて説明する。尚、第２実施形態を含む以下の各実施形態においては、既に説明した実施形態の構成と同一構成又は相当する構成については、同一番号を付しその重複説明を省略する。
【００７６】
第２実施形態のペダル装置１１１は、演奏者が足で操作するプレート１１２と、そのプレート１１２を傾動可能に支持するベース１１３とから構成されている。このプレート１１２は被押圧部５２を備えている。そして、ペダル装置１１１は、演奏者により変位される被押圧部５２の位置に基づいて、第１実施形態のペダル装置１１と同様、付勢機構１１４により所定位置に付勢される通常状態と、固定機構１３１により任意の位置に操作可能に固定される固定状態とに変化する。すなわち、図１１又は図１２（ａ）に示す固定状態にあるペダル装置１１１では、プレート１１２は、ベース１１３に備えられた固定機構１３１によって操作可能な程度に固定されている。
【００７７】
プレート１１２は、基端部１２０ｂの下面１２０ａの略中央に操作片５１を備えている。下面１２０ａには断面逆Ｔ字状のレールからなる摺動用金具（図示を省略）が長手方向に延設されている。また、操作片５１の上面には摺動部（図示を省略）が設けられ、摺動用金具の下部に両側から摺動可能に掛止され、操作片５１は操作板１２０に対して長手方向に摺動し得る構成となっている。この操作片５１は、ベース１１３の側面１１３ａと平行に形成された２つの側面５１ａを有するとともに、その左方（図１２において手前側）の側面５１ａから幅方向に突出して形成された丸棒状の被押圧部５２を備えている。そのため、被押圧部５２は、操作片５１の摺動に伴って、操作板１２０に対して長手方向に変位する。
【００７８】
また、操作片５１の基端部分は、操作板１２０の基端方向（かかと方向）側に突出するように延設され、上方に屈曲されてプレート１１２上面より上方に突出する板状の突出片５１ｂとして形成されている。従って、操作片５１は、演奏者が突出した突出片５１ｂをかかとにより容易に操作できる。
【００７９】
プレート１１２は、図１２（ａ）に示すように、操作板１２０の下面１２０ａからベース１１３に対して延びるようにして設けられた延出部６０及び同延出部６０の先端部に設けられた被固定部１３２を備える。
【００８０】
ベース１１３は、図１１（ａ）に示すように、幅方向の略中央、かつ、長手方向の略中央から基端面１１３ｃ（図１２（ａ））にかけて、上面が開口された収容室１２２が設けられている。基端面１１３ｃには、後方側から収容室１２２内に向かって、回動可能に貫通された調節ねじ５５が挿入されている。この調節ねじ５５の先端部は、軸状に形成され雄ねじが刻設されている。また、この調節ねじ５５の基端部は、先端部より径の大きな円柱状に形成され、その外周面には長手方向に垂直な環状の溝が形成されている。そして、調節ねじ５５は、基端面１１３ｃをこの溝により前後方向から挟持する構成とされ基端面１１３ｃに回動可能に嵌合支持されている。
【００８１】
調節ねじ５５の先端側には、直方体状の調節部５３が設けられている。この調節部５３の基端側にはねじ孔が形成され、このねじ孔には調節ねじ５５の先端が螺入されている。調節部５３の先端面にはＣ字状の固定部材５４が形成されている。また、調節部５３は、その下面がベース１１３の底板１２８と当接している。そのため、調節部５３は、底板１２８の平面方向には摺動可能であるが、軸方向に回動しないように規制されている。そして、調節部５３のねじ孔と調節ねじ５５との螺合量は、調節ねじ５５を回動することにより調節され、調節部５３は、調節ねじ５５との螺合量が調節されることにより、先端方向又は基端方向に移動する。
【００８２】
収容室１２２には、固定機構１３１が設けられている。固定機構１３１は、弾性部１２４、付勢部１２６及び被固定部１３２から構成されている。
弾性部１２４は、その両端に突出するように半環状の係止部１２４ａ及び係止部１２４ｂを備えたコイルスプリングから構成されている。基端側に設けられた係止部１２４ｂは、調節部５３に設けられた固定部材５４に掛止されている。一方、先端側に設けられた係止部１２４ｂは、付勢部１２６と連結されている。
【００８３】
付勢部１２６は、前後方向に細長の概ね水平な板状部材から構成されている。付勢部１２６の先端側のおよそ半分は、後方に向けて２０°〜３０°程度の上り斜面になった平面である先端部５７が形成されている。先端部５７の先端は、幅方向に溝状の凹部を形成するようにＵ字状に屈曲されており、ベース１１３の所定部分に固着された丸棒５０にその溝部が嵌合され、傾動可能に軸支されている。従って、付勢部１２６全体は、先端の丸棒５０を中心に後端が上下するように傾動し得る。付勢部１２６の略中央にあたる先端部５７の後端には屈曲線が形成され、後方に向けて下りの平坦な斜面である屈曲部５８を形成している。また、付勢部１２６の基端からおよそ４分の１の部分にも屈曲線が設けられ、再び屈曲され基端部に向けて上りの平坦な斜面である基端部５９を形成する。
【００８４】
基端部５９の先端側に幅方向両側に固定部材５６が設けられる。固定部材５６は、幅方向に突出した板状部材が略９０度下方に屈曲されて形成された対向する１対の平面を備え、これらを連結するように幅方向に配設された水平な軸を備えて構成されている。前述の弾性部１２４の係止部１２４ｂは、この固定部材５６の軸部分に掛止されている。従って、付勢部１２６は、弾性部１２４の付勢力により、先端の丸棒５０を中心にして下方に傾動するように付勢される構成となっている。
【００８５】
プレート１１２に設けられた延出部６０（図１２（ａ））は、操作板１２０の下面１２０ａに対して垂直に収容室１２２内に延設される。延出部６０は、幅方向を前後に向けた板状部材で、付勢部１２６より下方に延出された先端部に被固定部１３２が設けられる。この被固定部１３２は、付勢部１２６の屈曲部５８と先端部５７との屈曲線の部分の下方に配置される。被固定部１３２は、支持軸１１６（図１１（ｂ）参照。）の軸線（図１２（ａ），（ｂ）に示す１点鎖線の交点）上に配置されており、プレート１１２が傾動すると、これに伴って傾動する構成となっている。また、被固定部１３２の上面が、軸線と同軸の円筒の曲面に沿った凸曲面に形成されている。従って、プレート１１２が傾動しても被固定部１３２の上面は位置が変化しない。
【００８６】
図１１（ａ）、図１２（ａ）に示す固定状態では、被固定部１３２は、先端部５７と屈曲部５８との間の屈曲線の前後の平坦な部分に内接する状態で当接されることにより、下方に付勢された付勢部１２６との間で所定の摩擦力を生じる。そして、ベース１１３の一部を構成する付勢部１２６は、摩擦力によりプレート１１２に設けられた被固定部１３２の傾動を規制することで、プレート１１２を操作可能な程度に固定する。
【００８７】
図１２（ａ）、図１２（ｂ）に示すように、固定状態の付勢部１２６の基端部５９は、操作片５１の摺動操作に基づいて、被押圧部５２に下方から押圧され得る構成となっている。すなわち、被押圧部５２は、操作片５１の摺動操作に基づいて、付勢部１２６と干渉しない基端側の解除位置から、付勢部１２６により概ね上方から押圧される先端側の所定位置まで変位可能とされている。そして、被押圧部５２は、解除位置から所定位置に変位されると、図１２（ｂ）に示すように、付勢部１２６の基端部５９を下方から押圧する。すると、付勢部１２６は先端部５７を中心にして上方に傾動され、付勢部１２６は被固定部１３２と離間する。その結果、被固定部１３２と付勢部１２６との摩擦力がなくなり、ペダル装置１１１は固定状態から解除される。
【００８８】
図１２（ｂ）に示すように、付勢部１２６は、被押圧部５２により丸棒５０を中心に上方に傾動された際においても、固定部材５６と掛止された弾性部１２４の付勢力により下方に付勢されている。その結果、付勢部１２６は、所定位置に位置する被押圧部５２を概ね下方に押圧するため、被押圧部５２を備えるプレート１１２をその基端部１２０ｂが下方移動するように付勢する構成となる。従って、本実施形態における付勢機構１１４は、弾性部１２４及び付勢部１２６から構成され、弾性部１２４が付勢部１２６を下方に付勢する付勢力を、プレート１１２に付与して付勢する構成とされている。そのため、本実施形態では、弾性部１２４及び付勢部１２６は、付勢機構１１４及び固定機構１３１の構成要素として兼用されている。また、本実施形態のペダル装置１１１は、操作片５１の摺動操作に基づいて、プレート１１２が操作可能に固定される固定状態から、プレート１１２が付勢される通常状態となる。
【００８９】
図１２（ｂ）の実線で示すように、通常状態におけるプレート１１２は、無操作状態では、付勢部１２６による付勢により所定の位置に保持されている。この無操作状態では、基端部１２０ｂは、先端部１２０ｃよりも下方に位置している。また、図１２（ｂ）の２点鎖線で示すように、通常状態におけるプレート１１２は、無操作状態から、演奏者により操作板１２０の先端部１２０ｃが踏み込み操作されると、その先端部１２０ｃとベース１１３の上面部１１３ｂとが当接するまで傾動可能となっている。また、プレート１１２は、演奏者による踏み込みが中断されると、付勢機構１１４の付勢により、無操作状態に戻る。
【００９０】
また、この通常状態において、調節部５３のねじ孔と調節ねじ５５との螺合量が調節され、調節部５３が基端方向に移動すると、弾性部１２４の付勢部１２６に対する付勢力が増加されるため、付勢機構１１４がプレート１１２を付勢する力が増加する。一方、先端方向に移動すると、付勢する力が減少する。本実施形態における付勢調節機構１２７は、調節部５３及び調節ねじ５５から構成されている。
【００９１】
図１２（ａ）に示すように、ペダル装置１１１は、通常状態から、操作者により、被押圧部５２が解除位置に位置するように操作片５１が摺動操作されると、再び固定状態になる。本実施形態における付勢解除機構１４１は、操作片５１から構成され、演奏者による操作片５１の摺動操作に基づいて、被押圧部５２と付勢部１２６とが離間することにより、付勢機構１１４のプレート１１２に付与する付勢を解除する。
【００９２】
また、この固定状態で調節ねじ５５により調節部５３を基端方向に移動させると、弾性部１２４の付勢部１２６に対する付勢力が増加されるため、付勢部１２６が被固定部１３２を押圧する力が増加する。一方、先端方向に移動させると、押圧する力が減少する。すなわち、本実施形態における摩擦調節機構１３６は、調節部５３及び調節ねじ５５から構成され、調節部５３のねじ孔と調節ねじ５５との螺合量を調節することによって、付勢部１２６と被固定部１３２とにおける摩擦力を調節し得る構成となっている。従って、本実施形態における付勢調節機構１２７は、摩擦調節機構１３６として兼用される。
【００９３】
次にペダル装置１１１の作用について説明する。
演奏者は、プレート１１２が付勢された通常状態でペダル装置１１１の操作を行いたい場合には、図１２（ｂ）に示すように、被押圧部５２が所定位置に位置するように操作片５１を押し込むように前方に摺動させる。このとき、図１２（ｂ）の実線で示すように、無操作状態でのプレート１１２は、付勢されて先端部１２０ｃが上がった所定の初期位置になる。そして、この無操作状態から、図１２（ｂ）の２点鎖線で示すように、演奏者が操作板１２０の先端部１２０ｃを踏み込むと、プレート１１２は、操作板１２０の先端部１２０ｃが下方に移動するように傾動する。そして、プレート１１２は、演奏者による先端部１２０ｃの踏み込み操作が中断されると、付勢により踏み込み方向と反対に戻る。また、演奏者は、プレート１１２の傾動を所定の位置に保持したい場合には、付勢機構１１４の付勢に抗して、プレート１１２を足で保持し続ける必要がある。
【００９４】
次に、演奏者が、固定状態でペダル装置１１１の操作を行いたい場合には、図１２（ａ）に示すように、被押圧部５２が解除位置に位置するように操作片５１を後方に引き出すように摺動させる。すると、被押圧部５２は、付勢部１２６から離間し、ペダル装置１１１の通常状態が解除される。これと同時に付勢部１２６は、弾性部１２４の下方への付勢により被固定部１３２と当接し、プレート１１２が操作可能に固定され、ペダル装置１１１は固定状態となる。
【００９５】
そして、この固定状態では、演奏者は、付勢部１２６と被固定部１３２との摩擦力に抗してプレート１１２を踏み込み操作することにより、プレート１１２を傾動させる。また、プレート１１２は、演奏者による踏み込み操作が中断されても、その位置で保持される。
【００９６】
固定状態から、再び通常状態で演奏を行いたい場合は、図１２（ａ）に示すように、踵を踏み込んでプレートの基端部１２０ｂを押し下げて初期位置にし、被押圧部５２が所定位置に位置するように操作片５１押し込むように前方に摺動させる。すると、再びペダル装置１１１は通常状態となる。
【００９７】
演奏者は、プレート１１２の操作にあたって、プレート１１２に付与する通常状態における付勢力及び固定状態における固定力を大きくしたい場合には、調節ねじ５５を時計回りに回し、小さくしたい場合には時計回りと反対に回す。
【００９８】
従って、本実施形態によれば、前記第１の実施形態における（１）、（２）、（３）に記載の効果に相当する効果に加えて、以下のような効果を得ることができる。
【００９９】
（４）ペダル装置１１１は、付勢部１２６を備えることにより、第１実施形態における当接部４３及び固定部３３の２つの部材を省略することができる。そのため、ペダル装置１１１の部材数の削減及び低コスト化を図ることができるという効果がある。
【０１００】
（５）第２実施形態では、付勢機構１１４の構成要素である弾性部１２４を固定機構１３１の構成要素として兼用した。従って、第１実施形態における押圧部３５のように、被固定部１３２を所定の摩擦力で固定することのみを目的とした部材を設ける必要がないため、ペダル装置１１１の部材数の削減及び低コスト化を図ることができるという効果がある。
【０１０１】
（６）第２実施形態では、付勢調節機構１２７は、摩擦調節機構１３６として兼用した。従って、第１実施形態のように、付勢調節機構１２７及び摩擦調節機構１３６を別々の構成部材から形成する必要がないため、ペダル装置１１１の部材数の削減及び低コスト化を図ることができるという効果がある。
【０１０２】
なお、上記実施形態は以下のように変更してもよい。
○第１実施形態では、付勢解除機構４１、固定機構３１、摩擦調節機構３６、付勢調節機構２７を備えたが、摩擦調節機構３６、付勢調節機構２７は省略してもよい。また、第２実施形態では、摩擦調節機構１３６、付勢調節機構１２７は省略してもよい。これらのようにしても、第１実施形態の（１）の効果を得ることができる。
【０１０３】
○第１実施形態では、付勢解除機構４１は、付勢機構１４の付勢部２６と、弾性部２４の付勢に抗して当接することにより、付勢機構１４のプレート１２に対する付勢を解除したが、弾性部２４と直接当接して付勢を解除してもよい。
【０１０４】
○第１実施形態では、当接部４３は、通常状態において、第１回動部４２から先端方向に延びて形成された２枚の板状の当接体４３ａを備えているが、当接体４３ａは何枚でもよい。また、当接体４３ａを板状に形成しなくてもよい。さらに、当接部４３を付勢部２６と直接当接するように形成するとともに、当接体４３ａを省略してもよい。
【０１０５】
○第１実施形態では、被固定部３２と固定部３３との摩擦力により、プレート１２をベース１３に対して、所定の位置に操作可能に固定したが、支持軸１６とその軸受の摩擦力により、操作可能に固定してもよい。
【０１０６】
○第１実施形態では、被固定部３２を円柱形状に形成したが、被固定部３２と固定部３３との摩擦力を変化することができれば、被固定部３２の形状は何でもよい。
【０１０７】
○第１実施形態では、被固定部３２を径方向に挟みつけたが、軸方向に挟みつけてもよい。
○第１実施形態では、摩擦調節機構３６は、被固定部３２と固定部３３との摩擦力を調節したが、支持軸１６とその軸受との摩擦力を調節してもよい。
【０１０８】
○第１実施形態では、付勢部２６にローラ２６ａを備えたが、突出部２１を付勢できる部材であれば、ローラ２６ａでなくてもよい。
○第２実施形態では、操作片５１をプレート１２に備えたが、ベース１３に備えてもよい。すなわち、変位可能な被押圧部５２をプレート１２に備えるとともに変位可能な操作片５１をベース１３に備え、演奏者が操作片５１を操作することにより、被押圧部５２が変位する構成としてもよい。
【０１０９】
○上記第１実施形態では、回動操作部４４を、演奏者が手により操作可能に設けたが、足により操作可能な構成としてもよい。また第２実施形態では、操作片５１が足によって操作可能に構成されているが、手によって操作するようにしてもよい。
【０１１０】
○上記各実施形態では、付勢解除機構４１，１４１は、付勢機構１４，１１４のプレート１２，１１２に対する付勢を、付勢部２６の付勢に抗して、又は、被押圧部５２の変位により解除する構成としたが、付勢機構１４，１１４自体の移動に基づいて、プレート１２，１１２に対する付勢を解除してもよい。
【０１１１】
【発明の効果】
以上詳述したように、本発明のペダル装置では、１台のペダル装置でありながらペダルプレートを任意の位置に保持するか否かの機能を任意に選択できるという効果がある。
【図面の簡単な説明】
【図１】この発明の通常状態のペダル装置の実施形態を示す側面図。
【図２】この発明の固定状態のペダル装置の実施形態を示す側面図。
【図３】図１のペダル装置の平面図。
【図４】図１のペダル装置の図３に示す一点鎖線Ａ―Ａにおける側面断面図。
【図５】図１のペダル装置の図３に示す一点鎖線Ａ―Ａにおける側面断面図。
【図６】図１のペダル装置の図３に示す一点鎖線Ｂ―Ｂにおける側面断面図。
【図７】図２のペダル装置の図３に示す一点鎖線Ａ―Ａにおける側面断面図。
【図８】図２のペダル装置の図３に示す一点鎖線Ａ―Ａにおける側面断面図。
【図９】図２のペダル装置の図３に示す一点鎖線Ｂ―Ｂにおける側面断面図。
【図１０】図２のペダル装置の図３に示す一点鎖線Ｂ―Ｂにおける側面断面図。
【図１１】（ａ）は、この発明のペダル装置の第２の実施形態を示す部分断面斜視図。
（ｂ）は、（ａ）のペダル装置の斜視図。
【図１２】（ａ）は、図１１（ａ）のペダル装置の被押圧部が解除位置に位置する状態を示す側面断面図。
（ｂ）は、図１１（ａ）のペダル装置の被押圧部が所定位置に位置する状態を示す側面断面図。
【符号の説明】
１１，１１１…ペダル装置、１２，１１２…ペダルプレート、１３，１１３…ベース、１４，１１４…付勢機構、１８…貫通孔、１８ｃ…雌ねじ、２３…ケース、２３ａ…雄ねじ、２４，１２４…弾性手段としての弾性部、２６…付勢部、２７，１２７…付勢調節機構、３１，１３１…固定機構、３２，１３２…被固定部、３３…固定部、３３ｂ…すり割り部、３４…第２回動部、３５…押圧部、３６，１３６…摩擦調節機構、３７…ねじ孔、３８…ねじ、４１，１４１…付勢解除機構、４２…第１回動部、４３…当接部、４４…回動操作部、５１…操作片、５２…被押圧部、１２６…付勢部、固定部としての付勢部。
【図１】
2005037457.tif 000003
【図２】
2005037457.tif 000004
【図３】
2005037457.tif 000005
【図４】
2005037457.tif 000006
【図５】
2005037457.tif 000007
【図６】
2005037457.tif 000008
【図７】
2005037457.tif 000009
【図８】
2005037457.tif 000010
【図９】
2005037457.tif 000011
【図１０】
2005037457.tif 000012
【図１１】
2005037457.tif 000013
【図１２】
2005037457.tif 000014